(57)【要約】【課題】光ディスクに格納されているコンテンツの提供に際し、ユーザの利便性を向上させることのできる技術を提供する。【解決手段】本発明の一態様に係る光ディスクプレーヤ（１０）は、ディスクＩＤを取得するディスク情報取得部（１１１）と、リデンプションコードを取得するリデンプションコード管理部（１１３）と、認証リクエスト部（１１４）と、認証結果取得部（１１５）と、コンテンツのコピーが禁止されているかを判定する複製禁止判定部（１１９）と、コピーが禁止されている場合にコンテンツのコピーを禁止する複製制御部（１２０）とを備える。【選択図】図３
2016105342.tif 000002
【特許請求の範囲】
【請求項１】
対象の光ディスクから、当該対象の光ディスクを他の光ディスクから識別する情報である光ディスク識別情報を取得する光ディスク識別情報取得部と、
認証を条件とする条件付きサービスを提供するための認証用情報を取得する認証用情報取得部と、
上記光ディスク識別情報および上記認証用情報の少なくとも何れかをサーバに出力する情報出力部と、
上記サーバから認証結果を取得する認証結果取得部と、
上記対象の光ディスクに格納されているコンテンツのコピーを管理するコピー管理部と、
上記コンテンツのコピーが禁止されているか否かを判定するコピー禁止判定部と、を備え、
上記コピー管理部は、上記コピー禁止判定部により上記コンテンツのコピーが禁止されていると判定された場合に、上記認証結果にかかわらず当該コンテンツのコピーを禁止する、
ことを特徴とする再生装置。
【請求項２】
上記コピー禁止判定部は、上記対象の光ディスクに格納されているコピーの可否に関する情報を参照して、上記コンテンツのコピーが禁止されているか否かを判定する、
ことを特徴とする請求項１に記載の再生装置。
【請求項３】
上記コピー禁止判定部は、上記対象の光ディスクの光ディスク識別情報と、光ディスクに格納されているコンテンツのコピーの可否を管理する管理サーバにおいて上記対象の光ディスクの光ディスク識別情報と関連付けて管理されている、上記対象の光ディスクに格納されているコンテンツのコピーの可否に関する情報とを参照して、上記対象の光ディスクのコンテンツのコピーが禁止されているか否かを判定する、
ことを特徴とする請求項１又は２に記載の再生装置。
【請求項４】
上記コピー禁止判定部により上記コンテンツのコピーが禁止されていると判定された場合に、当該コンテンツのコピーが禁止されている旨を通知するコピー禁止通知部を更に備えている、
ことを特徴とする請求項１から３の何れか１項に記載の再生装置。
【請求項５】
表示装置に通知を行う通知部を更に備え、
上記通知部は、上記コピー禁止判定部により上記コンテンツのコピーが禁止されていると判定された場合に、当該コンテンツのコピー又は取得を可能にするための通知を表示装置に行う、
ことを特徴とする請求項１から４の何れか１項に記載の再生装置。
【請求項６】
対象の光ディスクを他の光ディスクから識別する情報である光ディスク識別情報と、認証を条件とする条件付きサービスを提供するための認証用情報との少なくとも何れかを取得する情報取得部と、
上記情報取得部が取得した光ディスク識別情報および認証用情報の少なくとも何れかが、予め関連付けられているか否かを認証する認証部と、
上記認証部が認証した結果を表す認証結果を出力する認証結果出力部と、
上記対象の光ディスクがレンタルされた光ディスクである場合に、上記光ディスク識別情報、上記対象の光ディスクのレンタル期間、及び、上記対象の光ディスクをレンタルしているユーザを示すユーザ識別情報を関連付けて管理するレンタル管理部と、を備えている、
ことを特徴とするサーバ。
【請求項７】
上記レンタル管理部は、上記対象の光ディスクに格納されているコンテンツを再生する再生装置から上記光ディスク識別情報を取得したとき、当該光ディスク識別情報と関連付けて管理されている上記対象の光ディスクのレンタル期間を、上記再生装置に送信する、
ことを特徴とする請求項６に記載のサーバ。
【請求項８】
上記レンタル管理部は、上記対象の光ディスクのレンタル期間の期限が迫っている場合に、再生装置に対して、レンタル期間の期限が迫っている旨の通知を行うよう指示する、
ことを特徴とする請求項７に記載のサーバ。
【請求項９】
上記レンタル管理部は、
再生装置を他の機器から識別する情報である機器識別情報を上記ユーザ識別情報と関連付けて管理し、
上記ユーザ識別情報と関連付けられている機器識別情報であって上記再生装置の機器識別情報と異なる機器識別情報により特定される機器に対して、上記対象の光ディスクに格納されているコンテンツと同一のコンテンツを配信可能にする、
ことを特徴とする請求項６から８の何れか１項に記載のサーバ。
【請求項１０】
上記レンタル管理部は、上記ユーザ識別情報と関連付けられている機器識別情報が複数存在する場合に、上記コンテンツを配信可能にする機器の台数を制限する、
ことを特徴とする請求項９に記載のサーバ。
【請求項１１】
対象の光ディスクから、当該対象の光ディスクを他の光ディスクから識別する情報である光ディスク識別情報を取得する光ディスク識別情報取得部と、
認証を条件とする条件付きサービスを提供するための認証用情報を取得する認証用情報取得部と、
上記光ディスク識別情報および上記認証用情報の少なくとも何れかをサーバに出力する情報出力部と、
上記サーバから認証結果を取得する認証結果取得部と、
上記対象の光ディスクがレンタルされた光ディスクであるか否かを判定するレンタル判定部と、
上記対象の光ディスクが上記レンタル判定部によりレンタルされた光ディスクであると判定された場合に、当該対象の光ディスクのレンタル期間を通知するレンタル期間通知部と、を備えている、
ことを特徴とする再生装置。
【請求項１２】
上記対象の光ディスクのレンタル期間を徒過している場合に、当該対象の光ディスクに格納されているコンテンツの再生を禁止する再生管理部を更に備えている、
ことを特徴とする請求項１１に記載の再生装置。
【請求項１３】
表示装置に通知を行う通知部を更に備え、
上記通知部は、上記レンタル期間を徒過している場合に、当該レンタル期間を延長するための通知を表示装置に行う、
ことを特徴とする請求項１２に記載の再生装置。
【請求項１４】
対象の光ディスクから、当該対象の光ディスクを他の光ディスクから識別する情報である光ディスク識別情報を取得する光ディスク識別情報取得部と、
認証を条件とする条件付きサービスを提供するための認証用情報を取得する認証用情報取得部と、
上記光ディスク識別情報および上記認証用情報の少なくとも何れかをサーバに出力する情報出力部と、
上記サーバから認証結果を取得する認証結果取得部と、
上記対象の光ディスクがレンタルされた光ディスクであるか否かを判定するレンタル判定部と、
上記対象の光ディスクが上記レンタル判定部によりレンタルされた光ディスクであると判定された場合に、当該対象の光ディスクに関する広告を表示装置に出力する広告出力部と、を備えている、
ことを特徴とする再生装置。
【請求項１５】
上記対象の光ディスクに関する広告を、上記光ディスク識別情報と当該光ディスク識別情報の示す対象の光ディスクに関する広告とを関連づけて管理するサーバから取得する広告取得部を更に備えている、
ことを特徴とする請求項１４に記載の再生装置。
【請求項１６】
再生装置の制御方法であって、
対象の光ディスクから、当該対象の光ディスクを他の光ディスクから識別する情報である光ディスク識別情報を取得する光ディスク識別情報取得ステップと、
認証を条件とする条件付きサービスを提供するための認証用情報を取得する認証用情報取得ステップと、
上記光ディスク識別情報および上記認証用情報の少なくとも何れかをサーバに出力する情報出力ステップと、
上記サーバから認証結果を取得する認証結果取得ステップと、
上記対象の光ディスクに格納されているコンテンツのコピーを管理するコピー管理ステップと、
上記コンテンツのコピーが禁止されているか否かを判定するコピー禁止判定ステップと、を含み、
上記コピー管理ステップにおいて、上記コピー禁止判定ステップにおいて上記コンテンツのコピーが禁止されていると判定された場合に、上記認証結果にかかわらず当該コンテンツのコピーを禁止する、
ことを特徴とする制御方法。
【請求項１７】
レンタルを管理するサーバのレンタル管理方法であって、
対象の光ディスクを他の光ディスクから識別する情報である光ディスク識別情報と、認証を条件とする条件付きサービスを提供するための認証用情報との少なくとも何れかを取得する情報取得ステップと、
上記情報取得ステップにおいて取得した光ディスク識別情報および認証用情報の少なくとも何れかが、予め関連付けられているか否かを認証する認証ステップと、
上記認証ステップにおいて認証した結果を表す認証結果を出力する認証結果出力ステップと、
上記対象の光ディスクがレンタルされた光ディスクである場合に、上記光ディスク識別情報、上記対象の光ディスクのレンタル期間、及び、上記対象の光ディスクをレンタルしているユーザを示すユーザ識別情報を関連付けて管理するレンタル管理ステップと、を含んでいる、
ことを特徴とするレンタル管理方法。
【請求項１８】
再生装置の制御方法であって、
対象の光ディスクから、当該対象の光ディスクを他の光ディスクから識別する情報である光ディスク識別情報を取得する光ディスク識別情報取得ステップと、
認証を条件とする条件付きサービスを提供するための認証用情報を取得する認証用情報取得ステップと、
上記光ディスク識別情報および上記認証用情報の少なくとも何れかをサーバに出力する情報出力ステップと、
上記サーバから認証結果を取得する認証結果取得ステップと、
上記対象の光ディスクがレンタルされた光ディスクであるか否かを判定するレンタル判定ステップと、
上記対象の光ディスクが上記レンタル判定ステップにおいてレンタルされた光ディスクであると判定された場合に、当該対象の光ディスクのレンタル期間を通知するレンタル期間通知ステップと、を含んでいる、
ことを特徴とする制御方法。
【請求項１９】
再生装置の制御方法であって、
対象の光ディスクから、当該対象の光ディスクを他の光ディスクから識別する情報である光ディスク識別情報を取得する光ディスク識別情報取得ステップと、
認証を条件とする条件付きサービスを提供するための認証用情報を取得する認証用情報取得ステップと、
上記光ディスク識別情報および上記認証用情報の少なくとも何れかをサーバに出力する情報出力ステップと、
上記サーバから認証結果を取得する認証結果取得ステップと、
上記対象の光ディスクがレンタルされた光ディスクであるか否かを判定するレンタル判定ステップと、
上記対象の光ディスクが上記レンタル判定ステップにおいてレンタルされた光ディスクであると判定された場合に、当該対象の光ディスクに関する広告を表示装置に出力する広告出力ステップと、を含んでいる、
ことを特徴とする制御方法。
【請求項２０】
請求項１から５、１１から１５の何れか１項に記載の再生装置としてコンピュータを機能させるためのプログラムであって、コンピュータを上記各部として機能させるためのプログラム。
【請求項２１】
請求項６から１０の何れか１項に記載のサーバとしてコンピュータを機能させるためのプログラムであって、コンピュータを上記各部として機能させるためのプログラム。
【発明の詳細な説明】
【技術分野】
【０００１】
本発明は、光ディスクを再生する再生装置、サーバ、再生装置の制御方法、及び、サーバのレンタル管理方法に関する。また、再生装置及びサーバのプログラムに関する。
【背景技術】
【０００２】
映画などの映像データ、音楽などの音声データなどに代表されるコンテンツは、ＣＤ（Compact Disc）、ＤＶＤ（Digital Versatile Disc）、ＢＤ（Blu-ray（登録商標） Disc）といった光ディスク記録媒体（以下、光ディスク）に格納された状態で販売されたり、インターネット経由でデータを提供することにより販売されたりしている。
【０００３】
光ディスクに格納されているコンテンツを視聴する場合、従来では、インターネットに接続されていない光ディスクプレーヤを用いて光ディスクに格納されたコンテンツを視聴する態様が一般的であった。しかし、様々な電子機器がインターネットに接続されるようになった現在、インターネットに接続された光ディスクプレーヤ又はＰＣ（Personal Computer）を用いて光ディスクに格納されたコンテンツを視聴する態様が普及している。
【０００４】
また、光ディスクに格納されているコンテンツは、そのコピーが容易に行われてしまうこともあるため、コンテンツのコピーを制限するための技術が求められている。コピーが違法に行われた記憶媒体からのコンテンツの利用の実行を制限する技術として、例えば、特許文献１に記載の技術がある。
【先行技術文献】
【特許文献】
【０００５】
【特許文献１】特開２００４−２９５３７３号公報（２００４年１０月２１日公開）
【発明の概要】
【発明が解決しようとする課題】
【０００６】
しかしながら、特許文献１に記載の技術では、情報処理装置においてコンテンツの利用を制限するためには、情報記録媒体に情報記録媒体ＩＤと不正であると判定された情報記録媒体ＩＤのリストである情報記録媒体ＩＤリボケーションリストが格納されている必要がある。また、特許文献１に記載の技術では、コピーが違法に行われた記憶媒体でない限り、コンテンツの利用の実行を制限することができず、ユーザの利便性が低いという問題がある。
【０００７】
本発明は、上記問題を鑑みてなされたものであり、その主たる目的は、光ディスクに格納されているコンテンツの提供に際し、ユーザの利便性を向上させることのできる技術を提供することにある。
【課題を解決するための手段】
【０００８】
上記の課題を解決するために、本発明の一態様に係る再生装置は、対象の光ディスクから、当該対象の光ディスクを他の光ディスクから識別する情報である光ディスク識別情報を取得する光ディスク識別情報取得部と、認証を条件とする条件付きサービスを提供するための認証用情報を取得する認証用情報取得部と、上記光ディスク識別情報および上記認証用情報の少なくとも何れかをサーバに出力する情報出力部と、上記サーバから認証結果を取得する認証結果取得部と、上記対象の光ディスクに格納されているコンテンツのコピーを管理するコピー管理部と、上記コンテンツのコピーが禁止されているか否かを判定するコピー禁止判定部と、を備え、上記コピー管理部は、上記コピー禁止判定部により上記コンテンツのコピーが禁止されていると判定された場合に、上記認証結果にかかわらず当該コンテンツのコピーを禁止する。
【０００９】
上記の課題を解決するために、本発明の一態様に係るサーバは、対象の光ディスクを他の光ディスクから識別する情報である光ディスク識別情報と、認証を条件とする条件付きサービスを提供するための認証用情報との少なくとも何れかを取得する情報取得部と、上記情報取得部が取得した光ディスク識別情報および認証用情報の少なくとも何れかが、予め関連付けられているか否かを認証する認証部と、上記認証部が認証した結果を表す認証結果を出力する認証結果出力部と、上記対象の光ディスクがレンタルされた光ディスクである場合に、上記光ディスク識別情報、上記対象の光ディスクのレンタル期間、及び、上記対象の光ディスクをレンタルしているユーザを示すユーザ識別情報を関連付けて管理するレンタル管理部と、を備えている。
【００１０】
上記の課題を解決するために、本発明の一態様に係る再生装置は、対象の光ディスクから、当該対象の光ディスクを他の光ディスクから識別する情報である光ディスク識別情報を取得する光ディスク識別情報取得部と、認証を条件とする条件付きサービスを提供するための認証用情報を取得する認証用情報取得部と、上記光ディスク識別情報および上記認証用情報の少なくとも何れかをサーバに出力する情報出力部と、上記サーバから認証結果を取得する認証結果取得部と、上記対象の光ディスクがレンタルされた光ディスクであるか否かを判定するレンタル判定部と、上記対象の光ディスクが上記レンタル判定部によりレンタルされた光ディスクであると判定された場合に、当該対象の光ディスクのレンタル期間を通知するレンタル期間通知部と、を備えている。
【００１１】
上記の課題を解決するために、本発明の一態様に係る再生装置は、対象の光ディスクから、当該対象の光ディスクを他の光ディスクから識別する情報である光ディスク識別情報を取得する光ディスク識別情報取得部と、認証を条件とする条件付きサービスを提供するための認証用情報を取得する認証用情報取得部と、上記光ディスク識別情報および上記認証用情報の少なくとも何れかをサーバに出力する情報出力部と、上記サーバから認証結果を取得する認証結果取得部と、上記対象の光ディスクがレンタルされた光ディスクであるか否かを判定するレンタル判定部と、上記対象の光ディスクが上記レンタル判定部によりレンタルされた光ディスクであると判定された場合に、当該対象の光ディスクに関する広告を表示装置に出力する広告出力部と、を備えている。
【００１２】
上記の課題を解決するために、本発明の一態様に係る制御方法は、再生装置の制御方法であって、対象の光ディスクから、当該対象の光ディスクを他の光ディスクから識別する情報である光ディスク識別情報を取得する光ディスク識別情報取得ステップと、認証を条件とする条件付きサービスを提供するための認証用情報を取得する認証用情報取得ステップと、上記光ディスク識別情報および上記認証用情報の少なくとも何れかをサーバに出力する情報出力ステップと、上記サーバから認証結果を取得する認証結果取得ステップと、上記対象の光ディスクに格納されているコンテンツのコピーを管理するコピー管理ステップと、上記コンテンツのコピーが禁止されているか否かを判定するコピー禁止判定ステップと、を含み、上記コピー管理ステップにおいて、上記コピー禁止判定ステップにおいて上記コンテンツのコピーが禁止されていると判定された場合に、上記認証結果にかかわらず当該コンテンツのコピーを禁止する。
【００１３】
上記の課題を解決するために、本発明の一態様に係るレンタル管理方法は、レンタルを管理するサーバのレンタル管理方法であって、対象の光ディスクを他の光ディスクから識別する情報である光ディスク識別情報と、認証を条件とする条件付きサービスを提供するための認証用情報との少なくとも何れかを取得する情報取得ステップと、上記情報取得ステップにおいて取得した光ディスク識別情報および認証用情報の少なくとも何れかが、予め関連付けられているか否かを認証する認証ステップと、上記認証ステップにおいて認証した結果を表す認証結果を出力する認証結果出力ステップと、上記対象の光ディスクがレンタルされた光ディスクである場合に、上記光ディスク識別情報、上記対象の光ディスクのレンタル期間、及び、上記対象の光ディスクをレンタルしているユーザを示すユーザ識別情報を関連付けて管理するレンタル管理ステップと、を含んでいる。
【００１４】
上記の課題を解決するために、本発明の一態様に係る制御方法は、再生装置の制御方法であって、対象の光ディスクから、当該対象の光ディスクを他の光ディスクから識別する情報である光ディスク識別情報を取得する光ディスク識別情報取得ステップと、認証を条件とする条件付きサービスを提供するための認証用情報を取得する認証用情報取得ステップと、上記光ディスク識別情報および上記認証用情報の少なくとも何れかをサーバに出力する情報出力ステップと、上記サーバから認証結果を取得する認証結果取得ステップと、上記対象の光ディスクがレンタルされた光ディスクであるか否かを判定するレンタル判定ステップと、上記対象の光ディスクが上記レンタル判定ステップにおいてレンタルされた光ディスクであると判定された場合に、当該対象の光ディスクのレンタル期間を通知するレンタル期間通知ステップと、を含んでいる。
【００１５】
上記の課題を解決するために、本発明の一態様に係る制御方法は、再生装置の制御方法であって、対象の光ディスクから、当該対象の光ディスクを他の光ディスクから識別する情報である光ディスク識別情報を取得する光ディスク識別情報取得ステップと、認証を条件とする条件付きサービスを提供するための認証用情報を取得する認証用情報取得ステップと、上記光ディスク識別情報および上記認証用情報の少なくとも何れかをサーバに出力する情報出力ステップと、上記サーバから認証結果を取得する認証結果取得ステップと、上記対象の光ディスクがレンタルされた光ディスクであるか否かを判定するレンタル判定ステップと、上記対象の光ディスクが上記レンタル判定ステップにおいてレンタルされた光ディスクであると判定された場合に、当該対象の光ディスクに関する広告を表示装置に出力する広告出力ステップと、を含んでいる。
【発明の効果】
【００１６】
本発明の一態様によれば、光ディスクに格納されているコンテンツの提供に際し、ユーザの利便性を向上させることができる。
【図面の簡単な説明】
【００１７】
【図１】本発明の実施形態１に係るサービス提供システムの構成を示す概略図である。
【図２】上記サービス提供システムが含んでいる光ディスクプレーヤのハードウェア構成を示すブロック図である。
【図３】上記光ディスクプレーヤの備えるＣＰＵの主要な構成を示す機能ブロック図である。
【図４】上記サービス提供システムが含んでいるサーバの構成を示すブロック図である。
【図５】上記サーバの備えるＣＰＵの主要な構成を示す機能ブロック図である。
【図６】上記光ディスクプレーヤ１０におけるコピー禁止処理の流れを示すフローチャートである。
【図７】上記光ディスクプレーヤがモニタに表示する、コピーが禁止されている旨を通知する画面の一例を示す図である。
【図８】上記光ディスクプレーヤがモニタに表示する、コンテンツの取得を促す画面の一例を示す図である。
【図９】本発明の実施形態２に係る光ディスクプレーヤの備えるＣＰＵの主要な構成を示す機能ブロック図である。
【図１０】本発明の実施形態２に係るサーバの備えるＣＰＵの主要な構成を示す機能ブロック図である。
【図１１】上記光ディスクプレーヤ及びサーバにおけるレンタル期間表示処理の流れを示すシーケンス図である。
【図１２】上記光ディスクプレーヤがモニタに表示する、レンタル期間を含む画面の一例を示す図である。
【図１３】上記光ディスクプレーヤがモニタに表示する、レンタル期間の延長を促す画面の一例を示す図である。
【図１４】本発明の実施形態３に係る光ディスクプレーヤの備えるＣＰＵの主要な構成を示す機能ブロック図である。
【図１５】本発明の実施形態３に係るサーバの備えるＣＰＵの主要な構成を示す機能ブロック図である。
【図１６】上記光ディスクプレーヤ及びサーバにおける広告表示処理の流れを示すシーケンス図である。
【図１７】上記光ディスクプレーヤがモニタに表示する、光ディスクに関する広告の一例を示す図である。
【図１８】上記光ディスクプレーヤがモニタに表示する、光ディスクに関する広告の他の一例を示す図である。
【発明を実施するための形態】
【００１８】
〔実施形態１〕
（サービス提供システム１の概略）
以下、本発明の第１の実施形態について、図１〜図８を参照して詳細に説明する。図１は、本実施形態に係るサービス提供システム１の構成を示す概略図である。
【００１９】
図１に示すように、サービス提供システム１は、光ディスクプレーヤ（再生装置）１０、モニタ（表示装置）３０、ルータ４０、サーバ５０、及び携帯端末６０を含んでいる。ルータ４０は、ネットワーク７０に接続されており、例えば家庭内で運用するローカルエリアネットワーク（Ｌｏｃａｌ  Ａｒｅａ  Ｎｅｔｗｏｒｋ：ＬＡＮ）を構築可能にする。
【００２０】
サービス提供システム１では、光ディスクプレーヤ１０は、光ディスク２０を他の光ディスクから識別する情報であるディスクＩＤ（光ディスク識別情報）と、認証を条件とする条件付きサービスを提供するためのリデンプションコード（認証用情報）とを取得し、サーバ５０に認証を要求する。サーバ５０は、ディスクＩＤおよびリデンプションコードの認証の要求を受け付けると、ディスクＩＤおよびリデンプションコードを認証し、認証結果を光ディスクプレーヤ１０に出力する。光ディスクプレーヤ１０は、サーバ５０から取得した認証結果がディスクＩＤおよびリデンプションコードが認証されたことを示す場合、上記条件付きサービスを提供する。なお、以下において、サーバ５０の認証を条件としないサービスを通常サービスと称し、サーバ５０の認証を条件とする条件付きサービスを条件付きサービスと称する。
【００２１】
なお、サービス提供システム１では、光ディスクプレーヤ１０は、ディスクＩＤおよびリデンプションコードの少なくとも何れかをサーバ５０に出力する構成であってもよい。この場合、サーバ５０は、取得したディスクＩＤおよびリデンプションコードの少なくとも何れかを認証し、認証結果を光ディスクプレーヤ１０に出力する構成であればよい。
【００２２】
光ディスクプレーヤ１０は、上記ＬＡＮを構成する端末の１つであり、ルータ４０に接続されている。言い換えれば、光ディスクプレーヤ１０は、ルータ４０を介してネットワーク７０に接続されている。なお、図１において、実線の矢印は、有線接続による機器間の接続を表し、破線の矢印は、無線接続による機器間の接続を表す。図１に示す各機器の接続の態様（有線又は無線）は、接続の態様の一例であり、これに限定されるものではない。光ディスクプレーヤ１０の詳細な構成については、後述する。
【００２３】
光ディスクプレーヤ１０は、従来の光ディスクプレーヤと同様に、挿入された光ディスク２０に格納されているコンテンツを再生し、再生した映像を表す映像信号を、ＨＤＭＩ（High Definition Multimedia Interface、登録商標）ケーブルを介して接続されたモニタ３０へ提供する。
【００２４】
モニタ３０は、光ディスクプレーヤ１０から取得した映像信号に応じたオブジェクトを表示する。ここで、オブジェクトとは、映像（動画像）、静止画像、テキスト、選択項目が割り当てられたボタンなどを指す。本実施形態において、モニタ３０は、放送を受信するチューナー部を備えていないものとして説明するが、チューナー部を備えておりテレビジョン受像機として機能可能なものであってもよい。また、モニタ３０は、ルータ４０に接続されており、上記ＬＡＮを構成する端末の１つであってもよい。
【００２５】
サーバ５０は、ディスクＩＤおよびリデンプションコードの認証要求を受け付け、認証した結果を表す認証結果を出力する。また、サーバ５０は、取得したディスクＩＤおよびリデンプションコードに関連付けられている条件付きサービスを管理する。条件付きサービスの管理とは、提供できる条件付きサービスの種類および提供できる回数を管理することである。また、サーバ５０は、自装置の記憶部にコンテンツを格納しており、要求に応じて当該コンテンツを出力する。サーバ５０の詳細な構成については、後述する。
【００２６】
携帯端末６０は、ネットワーク７０に接続されており、光ディスクプレーヤ１０及びサーバ５０のそれぞれと通信可能なように構成されている。携帯端末６０は、リデンプションコードが認証された場合に、上述の条件付きサービスを提供可能なように構成されている。なお、図１において、携帯端末６０は、ネットワーク７０に接続されている。しかし、使用の態様に応じて、携帯端末６０は、ルータ４０のＬＡＮ側に接続される場合もあり得る。
【００２７】
次に、サービス提供システム１に含まれている光ディスクプレーヤ１０、及び、サーバ５０について、参照する図を変えて説明する。
【００２８】
（光ディスクプレーヤ１０の構成）
光ディスクプレーヤ１０の構成について、図２を参照して説明する。図２は、本実施形態に係る光ディスクプレーヤ１０のハードウェア構成を示すブロック図である。
【００２９】
図２の（ａ）に示すように、光ディスクプレーヤ１０は、バスを介して互いに接続されたＣＰＵ（Central Processing Unit）１１、メモリ１２、ＨＤＤ（ハードディスクドライブ）１３、通信Ｉ／Ｆ（インターフェース）１４、ＨＤＭＩ  Ｉ／Ｆ（インターフェース）１５、光ディスクドライブ１６、ＵＳＢ（Universal Serial Bus）  Ｉ／Ｆ１７、及び、リモコン受光部１８を備えている。
【００３０】
ＣＰＵ１１は、光ディスクプレーヤ１０全体を統合制御する制御部である。ＣＰＵ１１は、各種プログラムが格納されたＨＤＤ１３から当該プログラムをメモリ１２上に展開し、当該プログラムに含まれる命令を実行することによって、光ディスクプレーヤ１０全体を統合制御する。
【００３１】
ＨＤＤ１３は補助記憶装置であり、ＣＰＵ１１を制御部として機能させるための各種プログラムが格納されている。また、ＨＤＤ１３は、光ディスク２０に格納されているコンテンツやサーバ５０から取得するコンテンツなども格納することができる。メモリ１２は主記憶装置であり、ＣＰＵ１１によりＨＤＤ１３に格納されていた各プログラムが展開される。メモリ１２は、例えば、ＲＡＭ（Random Access Memory）などであればよい。
【００３２】
通信Ｉ／Ｆ１４は、光ディスクプレーヤ１０が外部の装置と通信するためのインターフェースである。通信Ｉ／Ｆ１４は、例えば、無線通信によりルータ４０と通信を行うことにより、ルータ４０に接続されているネットワーク上の機器（サーバ５０など）と通信を行う。
【００３３】
ＨＤＭＩ  Ｉ／Ｆ１５は、非圧縮デジタル形式の映像データや音声データを伝送するとともに、ＣＥＣ（Consumer Electronics Control）コマンドを送受信することが可能なインターフェースである。また、ＵＳＢ  Ｉ／Ｆ１７は、ＵＳＢ規格に適合したデジタル信号を所定のプログラムに基づいて送受信可能なインターフェースである。
【００３４】
光ディスクドライブ１６は、装填（挿入）された光ディスク２０に書き込まれている（格納されている）データを読み出す。
【００３５】
リモコン受光部１８は、図２（ｂ）に示すリモートコントローラ（リモコン）１９から送信されるリモコン信号を受信する。
【００３６】
リモコン１９は、図２の（ｂ）に示すように、テンキー１９ａおよびカーソルキー１９ｂを備えている。リモコン１９は、テンキー１９ａおよびカーソルキー１９ｂを介してユーザから光ディスクプレーヤ１０に対する操作を受け付ける。そして、リモコン１９は、受け付けた操作を示すリモコン信号を送信する。
【００３７】
（ＣＰＵ１１の構成）
ＣＰＵ１１によって実現される主要な機能について、図３を参照して説明する。図３は、本実施形態に係る光ディスクプレーヤ１０の備えるＣＰＵ１１の主要な構成を示す機能ブロック図である。
【００３８】
図３に示すように、ＣＰＵ１１は、ディスク情報取得部（光ディスク識別情報取得部）１１１、ディスクＩＤ管理部１１２、リデンプションコード管理部（認証用情報取得部）１１３、認証リクエスト部（情報出力部）１１４、認証結果取得部１１５、操作信号取得部１１６、サービス提供部１１７、表示制御部（コピー禁止通知部、通知部）１１８、複製禁止判定部（コピー禁止判定部）１１９、及び、複製制御部（コピー管理部）１２０を備えている。
【００３９】
ディスク情報取得部１１１は、光ディスク２０に格納されているディスク情報（例えば、コンテンツ、ディスクＩＤなど）を、光ディスクドライブ１６を介して取得する。ディスクＩＤ管理部１１２は、取得したディスクＩＤを管理する。より具体的には、ディスクＩＤ管理部１１２は、取得したディスクＩＤが記憶部（不図示であるが、ＨＤＤ１３であってもよい）に格納されているか否かを判定し、格納されていない場合は、取得したディスクＩＤを記憶部に格納する。
【００４０】
リデンプションコード管理部１１３は、取得したディスクＩＤに関連付けられるリデンプションコードを管理する。より具体的には、リデンプションコード管理部１１３は、取得したディスクＩＤに関連付けられたリデンプションコードが記憶部（不図示であるが、ＨＤＤ１３であってもよい）に格納済であるか否かを判定する。また、リデンプションコード管理部１１３は、リデンプションコードを取得した場合、ディスクＩＤと関連付けて、取得したリデンプションコードを記憶部に格納する。
【００４１】
認証リクエスト部１１４は、通信Ｉ／Ｆ１４を介して、サーバ５０に対してディスクＩＤおよびリデンプションコードの認証を要求する。認証結果取得部１１５は、通信Ｉ／Ｆ１４を介して、サーバ５０からディスクＩＤおよびリデンプションコードの認証結果を取得する。なお、上述したように、認証リクエスト部１１４は、サーバ５０に対してディスクＩＤおよびリデンプションコードの認証を要求する構成に限定されず、例えば、サーバ５０に対してディスクＩＤおよびリデンプションコードを出力する構成であってもよい。
【００４２】
サービス提供部１１７は、認証結果を取得し、認証結果がディスクＩＤおよびリデンプションコードが認証されたことを示す場合、通常サービスおよび条件付きサービスを提供する。一方、サービス提供部１１７は、認証結果がディスクＩＤおよびリデンプションコードを認証しないことを示す場合、通常サービスを提供する。なお、通常サービスおよび条件付サービスは、サービス提供部１１７が、ＨＤＤ１３から取得して提供してもよいし、光ディスクプレーヤ１０にセットされている光ディスク２０から取得して提供してもよいし、またはサーバ５０等、外部のネットワーク経由で取得し、提供してもよい。
【００４３】
操作信号取得部１１６は、リモコン受光部１８を介して、光ディスクプレーヤ１０に対する操作を示す操作信号を取得する。
【００４４】
表示制御部１１８は、ＨＤＭＩ  Ｉ／Ｆ１５を介して、モニタ３０を制御する。
【００４５】
複製禁止判定部１１９は、光ディスク２０に格納されているコンテンツの複製（コピー）が禁止されているか否かを判定する。
【００４６】
複製制御部１２０は、光ディスク２０に格納されているコンテンツのコピーを管理する。より具体的には、複製禁止判定部１１９によりコンテンツのコピーが禁止されていると判定された場合に、当該光ディスクプレーヤ１０におけるコンテンツのコピー（例えば、光ディスク２０からＨＤＤ１３へのコピーなど）を禁止する。複製禁止判定部１１９における、コンテンツのコピーが禁止されているか否かの判定については、後述する。
【００４７】
（光ディスクプレーヤ１０がサービスを提供する処理の流れ）
ここで、光ディスクプレーヤ１０がサービスを提供する処理の流れについて、説明する。
【００４８】
まず、光ディスクプレーヤ１０のディスク情報取得部１１１は、挿入された光ディスク２０からディスクＩＤを取得する（光ディスク識別情報取得ステップ）。また、リデンプションコード管理部１１３は、リデンプションコードを取得する（認証用情報取得ステップ）。光ディスクプレーヤ１０は、光ディスク情報とリデンプションコードとを取得すると、認証リクエスト部１１４は、サーバ５０に対して、当該光ディスク情報とリデンプションコードとを出力する（情報出力ステップ）。そして、認証結果取得部１１５は、サーバ５０から認証結果を取得する（認証結果取得ステップ）。認証結果取得部１１５が取得した認証結果が、光ディスク情報とリデンプションコードとが認証されたことを示す場合、サービス提供部１１７は、条件付きサービスを提供する。一方、認証結果取得部１１５が取得した認証結果が、光ディスク情報とリデンプションコードとが認証しないことを示す場合、通常サービスを提供する。
【００４９】
（サーバ５０の構成）
サーバ５０の構成について、図４を参照して説明する。図４は、本実施形態に係るサーバ５０のハードウェア構成を示すブロック図である。図４に示すように、サーバ５０は、バスを介して互いに接続されたＣＰＵ５１、メモリ５２、ＨＤＤ５３、及び通信Ｉ／Ｆ５４を備えている。
【００５０】
ＣＰＵ５１は、サーバ５０全体を統合制御する制御部である。ＣＰＵ５１は、各種プログラムが格納されたＨＤＤ５３から当該プログラムをメモリ５２上に展開し、当該プログラムに含まれる命令を実行することによって、サーバ５０全体を統合制御する。
【００５１】
ＨＤＤ５３は補助記憶装置であり、ＣＰＵ５１を制御部として機能させるための各種プログラムが格納されている。また、ＨＤＤ５３には、コンテンツや後述するコピー禁止フラグなども格納することができる。メモリ５２は主記憶装置であり、例えば、ＲＡＭなどであればよい。
【００５２】
通信Ｉ／Ｆ５４は、サーバ５０が外部の装置と通信するためのインターフェースである。
【００５３】
（ＣＰＵ５１の構成）
ＣＰＵ５１によって実現される主要な機能について、図５を参照して説明する。図５は、本実施形態に係るサーバ５０の備えるＣＰＵ５１の主要な構成を示す機能ブロック図である。
【００５４】
図５に示すように、ＣＰＵ５１は、情報取得部５１１、認証部５１２、サービス管理部５１３、及び、認証結果出力部５１４を備えている。
【００５５】
情報取得部５１１は、通信Ｉ／Ｆ５４を介して、ディスクＩＤおよびリデンプションコードの認証要求を受け付ける。なお、情報取得部５１１は、ディスクＩＤおよびリデンプションコードの認証要求を受け付ける構成に限定されず、ディスクＩＤおよびリデンプションコードを取得する構成であってもよい。
【００５６】
認証部５１２は、取得したディスクＩＤおよびリデンプションコードを認証する。
【００５７】
サービス管理部５１３は、サーバ５０が提供可能なサービスを管理する。認証結果出力部５１４は、認証部５１２が認証した結果を表す認証結果を出力する。
【００５８】
（サーバ５０が認証する処理の流れ）
ここで、サーバ５０が認証する処理の流れについて、説明する。
【００５９】
まず、サーバ５０の情報取得部５１１は、光ディスクプレーヤ１０から、ディスクＩＤとリデンプションコードとを取得する（情報取得ステップ）。続いて、認証部５１２は、当該ディスクＩＤとリデンプションコードとが予め関連付けられているか否かを認証する（認証ステップ）。認証結果出力部５１４は、認証部５１２が認証した認証結果を、光ディスクプレーヤ１０に出力する（認証結果出力ステップ）。
【００６０】
（コピー禁止処理）
次に、光ディスクプレーヤ１０に光ディスク２０が挿入された際に、光ディスク２０に格納されているコンテンツのコピーを禁止するコピー禁止処理の流れ（光ディスクプレーヤ１０の制御方法）について、図６を参照して説明する。図６は、本実施形態に係る光ディスクプレーヤ１０におけるコピー禁止処理の流れを示すフローチャートである。
【００６１】
図６に示すように、光ディスク２０が光ディスクプレーヤ１０に挿入されると（ステップＳ１００）、複製制御部１２０は、光ディスク２０のコピーを管理する（コピー管理ステップ）。より具体的には、複製禁止判定部１１９に対して、光ディスク２０はコピーが禁止されているか否かを判定するよう要求する。光ディスクプレーヤ１０の複製禁止判定部１１９は、当該要求を受け付けると、光ディスク２０にコピー禁止フラグが格納されているか否か（又は、ＯＮかＯＦＦか等）を判定することにより、コピーが禁止されているか否かを判定する（ステップＳ１０２、コピー禁止判定ステップ）。ここで、コピー禁止フラグとは、光ディスク２０に格納されているコンテンツのコピーを禁止する旨を示すフラグである。
【００６２】
複製禁止判定部１１９により光ディスク２０にコピー禁止フラグが格納されていないと判定された場合（ステップＳ１０２においてＮＯ）、ディスク情報取得部１１１は、光ディスク２０に格納されている当該光ディスク２０のディスクＩＤを取得する（ステップＳ１０４）。
【００６３】
複製禁止判定部１１９は、ディスク情報取得部１１１により取得したディスクＩＤを通信Ｉ／Ｆ１４を介してサーバ５０へ送信すると共に、サーバ５０に対して、送信したディスクＩＤにコピー禁止フラグが関連付けられているか否かの問合せを行う（ステップＳ１０６）。
【００６４】
そして、複製禁止判定部１１９は、サーバ５０から取得した、コピー禁止フラグが関連付けられているか否かの問合せに対する回答に基づいてサーバ５０にディスクＩＤに関連付けられたコピー禁止フラグがあるか否かを判定することにより、コピーが禁止されているか否かを判定する（ステップＳ１０８）。
【００６５】
光ディスク２０にコピー禁止フラグが格納されている場合（ステップＳ１０２においてＹＥＳ）、又は、サーバ５０においてディスクＩＤにコピー禁止フラグが関連付けられている場合（ステップＳ１０８においてＹＥＳ）、複製制御部１２０は、光ディスク２０に格納されているコンテンツのコピーを禁止し、表示制御部１１８は、コンテンツのコピーが禁止されている旨の通知をモニタ３０に行う（ステップＳ１１０）。
【００６６】
なお、ここでは、光ディスク２０にコピー禁止フラグが格納されているかを判定し、更にサーバ５０においてディスクＩＤとコピー禁止フラグとが関連付けられているかを判定する構成を例に説明したが、光ディスクプレーヤ１０における処理はこれに限定されない。例えば、光ディスクプレーヤ１０は、光ディスクにコピー禁止フラグが格納されているかのみを判定してもよいし（図６のステップＳ１０２及びＳ１１０）、サーバ５０においてディスクＩＤとコピー禁止フラグとが関連付けられているかのみを判定してもよい（図６のステップＳ１０４〜Ｓ１１０）。
【００６７】
また、光ディスクプレーヤ１０の表示制御部１１８がモニタ３０に行う、コピーが禁止されている旨の通知は、特に限定されるものではない。
【００６８】
例えば、表示制御部１１８は、モニタ３０に、図７の（ａ）に示すように、「コピーが禁止されています」などのメッセージを通知として行ってもよいし、（ｂ）に示すように、コンテンツの再生や早送りを指示するためのアイコンと共にコピーの禁止を示すアイコンを通知として行ってもよいし、（ｃ）に示すように、チャンネル等を表示する領域にコピーが禁止されている旨の通知を行ってもよい。図７は、本実施形態に係る光ディスクプレーヤ１０がモニタ３０に表示する、コピーが禁止されている旨を通知する画面の一例を示す図である。
【００６９】
また、表示制御部１１８は、コピーが禁止されている旨の通知を、光ディスクが挿入されたときに行ってもよいし、リモコン１９のダビングボタン又はホームボタン（何れも不図示）などが押下されたときに行ってもよいし、通知のタイミングも特に限定されない。
【００７０】
なお、本実施形態では、コピーが禁止されている旨の通知をモニタ３０に行うことにより通知する構成を例に説明したが、通知方法はこれに限定されるものではない。例えば、光ディスクプレーヤ１０は、スピーカ等から音声を出力することにより、コピーが禁止されている旨を通知する構成を採用することもできる。
【００７１】
更に、光ディスクプレーヤ１０は、モニタ３０に、コピーが禁止されている旨の通知と共に、光ディスクに格納されているコンテンツと同一のコンテンツの取得を促す画面を表示させてもよい。
【００７２】
取得を促す画面としては、例えば、図８の（ａ）に示すように、コピーが禁止されていない光ディスク（セルディスク）を販売するサイトへのリンクを含む画面、及び、（ｂ）に示すように、コンテンツのダウンロードが可能なサイトへのリンクを含む画面など挙げることができるが、特に限定されない。図８は、本実施形態に係る光ディスクプレーヤ１０がモニタ３０に表示する、コンテンツの取得を促す画面の一例を示す図である。
【００７３】
なお、コンテンツの取得を促す画面に含まれるリンクは、図８に示すようなウェブサイトのＵＲＬに限定されるものではなく、例えば、ウェブサイトのバナーなどであってもよい。
【００７４】
また、コンテンツの取得を促す画面は、光ディスク２０のコピー禁止フラグを一時的（又は恒久的）に無効化（消去）するための決済を行う画面であってもよいし、サーバ５０においてディスクＩＤと関連付けられているコピー禁止フラグを一時的（又は恒久的）に無効化するための決済を行う画面などであってもよい。なお、サーバ５０においてディスクＩＤと関連付けられているコピー禁止フラグを無効化する場合には、サーバ５０のＣＰＵ５１は、上記決済を行ったユーザを示すユーザＩＤをディスクＩＤに関連付けて管理することにより、ユーザＩＤの示すユーザに対してのみコピー禁止フラグを無効化すればよい。
【００７５】
ここで、コピー禁止フラグによりコピーが禁止される光ディスク２０としては、例えば、レンタル店などでレンタルされる光ディスク（以降、レンタルディスクとも記載する）などを例に挙げることができる。
【００７６】
なお、本実施形態では、光ディスク２０又はサーバ５０にコピー禁止フラグが格納されている場合に、光ディスクプレーヤ１０の備える記憶部（ＨＤＤ１３）へのコンテンツのコピーを禁止する構成を例に挙げて説明したが、本発明はこれに限定されるものではなく、例えば、光ディスクプレーヤ１０に接続された外部の記録装置（外付けのＨＤＤなど）に対するコンテンツのコピーも禁止する。
【００７７】
（機器ＩＤの認証を条件とする構成）
上記の例では、条件付きサービスが、光ディスク２０のディスクＩＤおよびリデンプションコードの認証を条件として提供されるものとしたが、これは本実施形態を限定するものではない。条件付きサービスは、光ディスク２０のディスクＩＤおよびリデンプションコードに加えて、光ディスクプレーヤ１０の機器ＩＤ（機器識別情報）の認証を条件として提供されるものとしてもよい。ここで機器ＩＤとは、認証を要求する光ディスクプレーヤ１０を他の機器から識別する情報（当該機器を特定する情報）である。
【００７８】
この構成の場合、光ディスクプレーヤ１０の認証リクエスト部１１４は、通信Ｉ／Ｆ１４を介して、サーバ５０に対して光ディスクプレーヤ１０の機器ＩＤを更に出力し、機器ＩＤの認証を更に要求する構成となる。また、認証結果取得部１１５は、通信Ｉ／Ｆ１４を介して、サーバ５０から機器ＩＤの認証結果を取得する。また、サービス提供部１１７は、ディスクＩＤ、リデンプションコード、および機器ＩＤの全てが認証された場合に、通常サービスおよび条件付きサービスを提供し、ディスクＩＤ、リデンプションコード、および機器ＩＤの少なくとも何れかが認証されなかった場合、通常サービスのみを提供する。
【００７９】
より具体的には、サーバ５０の情報取得部５１１は、通信Ｉ／Ｆ５４を介して、機器ＩＤの認証要求を更に受け付け、認証部５１２は、取得した機器ＩＤを更に認証する。例えば、認証部５１２は、取得した機器ＩＤが、不正な機器などをリストにより管理するブラックリスト（ＢＬ）に登録されていないかを判定する。そして、機器ＩＤがＢＬに登録されている場合には、認証されなかった旨の認証結果を出力する。ここで、ＢＬには、不正な機器の機器ＩＤをリストにより管理する機器ＢＬ、及び、不正な光ディスクのディスクＩＤをリストにより管理するディスクＢＬなどが含まれる。
【００８０】
〔実施形態２〕
本発明の他の実施形態について、図９から図１３を参照して以下に説明する。なお、説明の便宜上、上述の実施形態にて説明した部材と同じ機能を有する部材については、同じ符号を付記し、その説明を省略する。
【００８１】
（ＣＰＵ１１ａの構成）
まず、本実施形態に係る光ディスクプレーヤ１０の備えるＣＰＵ１１ａについて、図９を参照して説明する。図９は、本実施形態に係る光ディスクプレーヤ１０の備えるＣＰＵ１１ａの主要な構成を示す機能ブロック図である。図９に示すように、本実施形態に係るＣＰＵ１１ａは、実施形態１に係るＣＰＵ１１の備える複製禁止判定部１１９及び複製制御部１２０に代えて、レンタル判定部１２１及びレンタル期間管理部（再生管理部）１２２を備えていること以外は、実施形態１に係るＣＰＵ１１と同様の構成である。
【００８２】
レンタル判定部１２１は、光ディスクプレーヤ１０に挿入された光ディスク２０がレンタルディスクであるか否かを判定する。具体的には、レンタル判定部１２１は、ディスク情報取得部１１１において光ディスク２０から取得したディスクＩＤを参照し、ディスクＩＤがレンタルディスクであることを示している場合に、光ディスク２０がレンタルディスクであると判定する。
【００８３】
なお、レンタル判定部１２１における判定の方法はこれに限定されるものではなく、例えば、サーバ５０においてディスクＩＤがレンタルディスクを示すディスクＩＤとして管理されている場合に、光ディスク２０がレンタルディスクであると判定してもよい。
【００８４】
レンタル期間管理部１２２は、レンタルディスクであると判定された光ディスク２０のレンタル期間を管理する。具体的には、レンタル期間管理部１２２は、光ディスク２０のレンタル期間の通知をサーバ５０に要求すると共に、サーバ５０から通知された光ディスク２０のレンタル期間を管理する。
【００８５】
また、レンタル期間管理部１２２は、光ディスク２０のレンタル期間を通知するよう表示制御部１１８を制御する。表示制御部１１８は、レンタル期間管理部１２２からの制御に従い、光ディスク２０のレンタル期間をモニタ３０に通知することにより、レンタル期間通知部としても機能する。
【００８６】
（ＣＰＵ５１ａの構成）
次に、本実施形態に係るサーバ５０の備えるＣＰＵ５１ａについて、図１０を参照して説明する。図１０は、本実施形態に係るサーバ５０の備えるＣＰＵ５１ａの主要な構成を示す機能ブロック図である。図１０に示すように、本実施形態に係るＣＰＵ５１ａは、実施形態１に係るＣＰＵ５１の備える構成に加え、レンタル管理部５１５を備えていること以外は、実施形態１に係るＣＰＵ５１と同様の構成である。
【００８７】
レンタル管理部５１５は、レンタルディスクである複数の光ディスク（光ディスク２０を含む）のレンタル期間を管理する。具体的には、レンタル管理部５１５は、各光ディスクのディスクＩＤと、各光ディスクのレンタル期間と、各光ディスクをレンタルしているユーザを示すユーザＩＤ（ユーザ識別情報）と、光ディスクのコンテンツを再生する光ディスクプレーヤの機器ＩＤ（機器識別情報）と、を関連づけてＨＤＤ５３に格納することにより管理する。
【００８８】
なお、レンタル管理部５１５は、光ディスクプレーヤなどの機器の機器ＩＤを、ディスクＩＤ、レンタル期間およびユーザＩＤと関連付けて管理することにより、機器ＩＤの示す機器が例えば、上述したコピーの禁止を無効化しているような機器であるかなどを管理することもできる。
【００８９】
また、レンタル管理部５１５は、光ディスクプレーヤ１０からの要求に応じて、光ディスクのレンタル期間を光ディスクプレーヤ１０に対して通知する。
【００９０】
（レンタル期間表示処理）
次に、光ディスクプレーヤ１０に光ディスク２０が挿入された際に、光ディスク２０のレンタル期間をモニタ３０に表示するレンタル期間表示処理（レンタル管理方法）の流れについて、図１１を参照して説明する。図１１は、本実施形態に係る光ディスクプレーヤ１０及びサーバ５０におけるレンタル期間表示処理の流れを示すシーケンス図である。
【００９１】
図１１に示すように、光ディスク２０が光ディスクプレーヤ１０に挿入されると（ステップＳ２００）、光ディスクプレーヤ１０のレンタル判定部１２１は、ディスク情報取得部１１１において取得した光ディスク２０のディスクＩＤに基づいて、当該光ディスク２０がレンタルディスクであるか否かを判定する（ステップＳ２０２、レンタル判定ステップ）。
【００９２】
光ディスク２０がレンタルディスクであると判定した場合（ステップＳ２０２においてＹＥＳ）、レンタル期間管理部１２２は、サーバ５０に対し、光ディスク２０のレンタル期間の送信を要求する（レンタル期間送信要求）（ステップＳ２０４）。このとき、レンタル期間管理部１２２は、レンタル期間送信要求と併せて、光ディスク２０のディスクＩＤ、及び、当該光ディスクプレーヤ１０の機器ＩＤを、サーバ５０に送信する。
【００９３】
光ディスクプレーヤ１０からレンタル期間送信要求を取得すると、サーバ５０のレンタル管理部５１５は、ＨＤＤ５３から、レンタル期間送信要求と共に取得したディスクＩＤに関連付けて管理されているユーザＩＤを抽出し、更に、ディスクＩＤ及び抽出したユーザＩＤに関連付けられている、光ディスク２０のレンタル期間を抽出する。レンタル管理部５１５は、抽出した光ディスク２０のレンタル期間を、通信Ｉ／Ｆ５４を介して光ディスクプレーヤ１０に通知する（ステップＳ２０６、レンタル管理ステップ）。
【００９４】
サーバ５０から光ディスク２０のレンタル期間を取得すると、光ディスクプレーヤ１０の表示制御部１１８は、例えば図１２に示すように、取得したレンタル期間をモニタ３０に通知する（ステップＳ２０８、レンタル期間通知ステップ）。図１２は、本実施形態に係る光ディスクプレーヤ１０がモニタ３０に表示する、レンタル期間を含む画面の一例を示す図である。
【００９５】
また、レンタル期間管理部１２２は、サーバ５０から取得したレンタル期間を、ディスクＩＤと関連づけて、ＨＤＤ１３に格納する（ステップＳ２１０）。
【００９６】
なお、光ディスク２０がレンタルディスクでないと判定した場合には（ステップＳ２０２においてＮＯ）、光ディスクプレーヤ１０は、モニタ３０にレンタル期間を表示することなく、レンタル期間表示処理を終了する。
【００９７】
更に、サーバ５０のレンタル管理部５１５は、レンタル期間の期限（レンタルの終了日）が迫っている場合に、レンタル期間の期限が迫っている旨を通知するよう光ディスクプレーヤ１０に指示してもよい。この場合には、光ディスクプレーヤ１０のレンタル期間管理部１２２がサーバ５０から取得した指示に従ってレンタル期間の期限が迫っている旨の通知を行うよう表示制御部１１８を制御し、表示制御部１１８はこれに従ってレンタル期間の期限が迫っている旨の通知をモニタ３０に行えばよい。
【００９８】
なお、光ディスクプレーヤ１０のレンタル期間管理部１２２は、レンタル期間の期限が迫っている場合に、サーバ５０からの指示によらず、レンタル期間の期限が迫っている旨の通知をモニタ３０に行うよう表示制御部１１８を制御してもよい。
【００９９】
本実施形態では、レンタル期間の期限が迫っている旨をモニタ３０に表示させることによって通知する構成を例に説明したが、通知方法はこれに限定されるものではない。例えば、光ディスクプレーヤ１０は、スピーカ等から音声を出力することにより、レンタル期間の期限が迫っている旨を通知する構成を採用することもできる。
【０１００】
また、レンタル期間管理部１２２は、光ディスク２０が挿入される度に、サーバ５０に対してレンタル期間送信要求を行う構成であってもよいし、１回目の光ディスク２０の挿入時に行うレンタル期間送信要求によりサーバ５０から取得したレンタル期間を光ディスク２０のディスクＩＤと関連づけてＨＤＤ１３に格納する構成であってもよい。レンタル期間がＨＤＤ１３に格納されている場合には、レンタル期間管理部１２２は、光ディスク２０が挿入されていなくても、表示制御部１１８により光ディスク２０のレンタル期間をモニタ３０に通知することができる。
【０１０１】
なお、上述の構成においては、光ディスクプレーヤ１０は、サーバ５０に直接アクセスして光ディスク２０のレンタル期間を取得する。この場合には、光ディスク２０に、アクセスすべきサーバ５０のＵＲＬが記録されていればよい。これによれば、光ディスクプレーヤ１０のレンタル期間管理部１２２は、光ディスク２０に記録されているＵＲＬを参照して適切なサーバ５０にアクセスすることができる。
【０１０２】
また、光ディスクプレーヤ１０は、サーバ５０に、例えばブリッジサーバ（不図示）などを介して間接的にアクセスすることにより、光ディスク２０のレンタル期間を取得してもよい。この場合には、光ディスク２０にブリッジサーバのＵＲＬが記録されていればよく、光ディスクプレーヤ１０は、ブリッジサーバから、光ディスク２０のレンタル期間が管理されているサーバ５０のＵＲＬを取得する。これにより、光ディスクプレーヤ１０は、ブリッジサーバを介して、光ディスク２０から取得したディスクＩＤに応じて適切なサーバ５０に接続することができる。また、光ディスク２０には、ブリッジサーバのＵＲＬが記録されていればよいため、光ディスクをレンタルしているレンタル店毎に各光ディスクに対して異なるＵＲＬを記録させる必要がない。
【０１０３】
ここで、本実施形態では、ブリッジサーバとは、ユーザが利用する機器（光ディスクプレーヤ１０を含む）と、レンタルや上述のコピーの禁止などを管理する管理サーバ（サーバ５０を含む）との接続を中継する中継サーバを指す。
【０１０４】
さらに、光ディスクプレーヤ１０は、光ディスク２０のレンタル期間を徒過している場合には、コンテンツの再生を制限してもよい。例えば、光ディスクプレーヤ１０のレンタル期間管理部１２２は、サーバ５０から取得した光ディスク２０のレンタル期間の示すレンタルの期限日と現在の日にちとを比較し、現在の日にちが期限日よりも後の日であると判定した場合に、コンテンツの再生を制限すればよい。
【０１０５】
また、光ディスクプレーヤ１０は、レンタル期間を徒過している場合に、コンテンツの再生の制限に加え、レンタル期間を徒過している旨を通知してもよい。この場合には、例えば、表示制御部１１８は、「レンタル期間を過ぎています」などのメッセージを通知としてモニタ３０に行えばよい。
【０１０６】
これによれば、光ディスクプレーヤ１０は、レンタル期間内にのみコンテンツの再生を行い、レンタル期間を過ぎた場合にはコンテンツの再生を禁止することができる。
【０１０７】
また、光ディスクプレーヤ１０は、レンタル期間を徒過している場合に、モニタ３０に、レンタル期間を徒過している旨の通知と共に、レンタル期間の更新（延長）を促す画面を表示させてもよい。
【０１０８】
レンタル期間の延長を促す画面としては、例えば、図１３に示すように、光ディスク２０のレンタル期間の延長の可否を選択できる画面であってもよいし、特に限定されるものではない。図１３は、本実施形態に係る光ディスクプレーヤ１０がモニタ３０に表示する、レンタル期間の延長を促す画面の一例を示す図である。なお、図１３に示す画面において「はい」を選択した場合には、レンタル期間を延長することにより発生する延長料金の決済を行う画面へ遷移する。
【０１０９】
また、レンタル期間の延長を促す画面として、光ディスク２０のレンタル元（レンタル店）がレンタル期間を管理するサーバ５０が管理するウェブページのＵＲＬを表示する画面などであってもよい。
【０１１０】
なお、サーバ５０が管理するウェブページのＵＲＬは、光ディスク２０に記録されていてもよいし、上述のブリッジサーバにおいて管理されていてもよい。サーバ５０が管理するウェブページのＵＲＬがブリッジサーバにおいて管理されている場合には、光ディスク２０にはブリッジサーバのＵＲＬが記録されていればよい。
【０１１１】
また、サーバ５０（又は、ブリッジサーバ）は、光ディスクプレーヤ１０とは異なる機器であって、光ディスクプレーヤ１０を利用するユーザが使用する機器（例えば、携帯端末６０）に対して、光ディスク２０を挿入することにより光ディスクプレーヤ１０において再生されるコンテンツと同一のコンテンツを配信可能にしてもよい。この場合には、サーバ５０は、光ディスクプレーヤ１０の機器ＩＤに関連付けられているユーザＩＤに関連付けられている機器ＩＤを有する携帯端末６０からの要求に応じて、当該携帯端末６０に対して、コンテンツを例えばストリーミングなどにより配信すればよい。
【０１１２】
この構成によれば、光ディスク２０をレンタルしているユーザは、光ディスクプレーヤ１０とは異なる機器であって自身が利用する機器において、レンタルしている光ディスク２０に格納されているコンテンツと同一のコンテンツを楽しむことができる。つまり、光ディスク２０をレンタルしているユーザは、自身の利用する機器であれば、光ディスクプレーヤ１０に限らず、所望の機器においてコンテンツを再生することができる。
【０１１３】
更に、サーバ５０は、光ディスク２０をレンタルしているユーザの使用する複数の機器（光ディスクプレーヤ１０を含む）のうち、コンテンツを同時に再生できる機器の台数（同時再生台数）を制限することもできる。
【０１１４】
例えば、サーバ５０は、（１）同時再生台数を１台に制限することにより、光ディスクプレーヤ１０でコンテンツを再生している間、他の機器でのコンテンツの再生を禁止してもよいし、（２）同時再生台数を２台に制限することにより、光ディスクプレーヤ１０でコンテンツを再生している間、他の機器のうち１台に限ってコンテンツの再生を許可してもよいし、（３）同時再生台数の制限を解除する（同時再生台数を無制限に認める）ことにより、光ディスクプレーヤ１０でコンテンツを再生している間であっても、他の何れの機器においてもコンテンツの再生を許可してもよい。
【０１１５】
〔実施形態３〕
本発明の更に他の実施形態について、図１４から図１８を参照して以下に説明する。なお、説明の便宜上、上述の実施形態にて説明した部材と同じ機能を有する部材については、同じ符号を付記し、その説明を省略する。
【０１１６】
（ＣＰＵ１１ｂの構成）
まず、本実施形態に係る光ディスクプレーヤ１０の備えるＣＰＵ１１ｂについて、図１４を参照して説明する。図１４は、本実施形態に係る光ディスクプレーヤ１０の備えるＣＰＵ１１ｂの主要な構成を示す機能ブロック図である。図１４に示すように、本実施形態に係るＣＰＵ１１ｂは、実施形態２に係るＣＰＵ１１ａの備えるレンタル期間管理部１２２に代えて、広告表示管理部（広告取得部）１２３を備えていること以外は、実施形態２に係るＣＰＵ１１ａと同様の構成である。
【０１１７】
広告表示管理部１２３は、光ディスク２０がレンタルディスクである場合に、光ディスク２０のコンテンツに関する広告（例えば、コンテンツの続編に関する広告など）、及び、光ディスク２０をレンタルしているレンタル業者（又はレンタル店など）に関する広告（例えば、新作のレンタルディスク、又はセール中のレンタルディスクに関する広告など）などの、光ディスク２０に関する広告の表示を管理する。
【０１１８】
広告表示管理部１２３は、光ディスク２０に関する広告を、例えば、サーバ５０など、ネットワーク７０を介して外部から取得する。
【０１１９】
（ＣＰＵ５１ｂの構成）
次に、本実施形態に係るサーバ５０の備えるＣＰＵ５１ｂについて、図１５を参照して説明する。図１５は、本実施形態に係るサーバ５０の備えるＣＰＵ５１ｂの主要な構成を示す機能ブロック図である。図１５に示すように、本実施形態に係るＣＰＵ５１ｂは、実施形態１に係るＣＰＵ５１の備える構成に加え、広告情報管理部５１６を備えていること以外は、実施形態１に係るＣＰＵ５１と同様の構成である。
【０１２０】
広告情報管理部５１６は、レンタルディスクである複数の光ディスク（光ディスク２０を含む）の各々に関する広告を示す広告情報を管理する。例えば、広告情報管理部５１６は、各光ディスクのディスクＩＤと、各光ディスクに関する広告を示す広告情報とを関連づけてＨＤＤ５３に格納することにより管理する。また、広告情報管理部５１６は、各光ディスクのレンタル店と、各光ディスクに関する広告を示す広告情報とを関連づけて管理する。
【０１２１】
広告情報管理部５１６は、管理している広告情報を、光ディスクプレーヤ１０からの要求に応じて光ディスクプレーヤ１０へ送信する。
【０１２２】
（広告表示処理）
次に、光ディスクプレーヤ１０に光ディスク２０が挿入された際に、光ディスク２０に関する広告をモニタ３０に表示する広告表示処理の流れについて、図１６を参照して説明する。図１６は、本実施形態に係る光ディスクプレーヤ１０及びサーバ５０における広告表示処理の流れを示すシーケンス図である。
【０１２３】
図１６に示すように、光ディスク２０が光ディスクプレーヤ１０に挿入されると（ステップＳ３００）、光ディスクプレーヤ１０のレンタル判定部１２１は、ディスク情報取得部１１１において取得した光ディスク２０のディスクＩＤに基づいて、当該光ディスク２０がレンタルディスクであるか否かを判定する（ステップＳ３０２）。
【０１２４】
光ディスク２０がレンタルディスクであると判定した場合（ステップＳ３０２においてＹＥＳ）、広告表示管理部１２３は、サーバ５０に対し、光ディスク２０に関する広告の送信を要求する（広告送信要求）（ステップＳ３０４）。このとき、広告表示管理部１２３は、広告送信要求と併せて、光ディスク２０のディスクＩＤをサーバ５０に送信する。
【０１２５】
光ディスクプレーヤ１０から広告送信要求を取得すると、サーバ５０の広告情報管理部５１６は、ＨＤＤ５３から、広告送信要求と共に取得したディスクＩＤに関連付けて管理されている広告情報を抽出する。広告情報管理部５１６は、抽出した広告情報を、通信Ｉ／Ｆ５４を介して光ディスクプレーヤ１０に通知する（ステップＳ３０６）。
【０１２６】
サーバ５０から光ディスク２０に関する広告情報を取得すると、光ディスクプレーヤ１０の表示制御部（広告出力部）１１８は、取得した広告情報に基づき光ディスク２０に関する広告をモニタ３０に出力する（ステップＳ３０８、広告出力ステップ）。
【０１２７】
これにより、光ディスク２０に関する広告として、例えば、図１７に示すように、コンテンツの続編に関する広告、又は、図１８に示すように、レンタル店のお勧めの作品の広告などがモニタ３０に表示される。図１７は、本実施形態に係る光ディスクプレーヤ１０がモニタ３０に表示する、光ディスク２０に関する広告の一例を示す図である。また、図１８は、本実施形態に係る光ディスクプレーヤ１０がモニタ３０に表示する、光ディスク２０に関する広告の他の一例を示す図である。
【０１２８】
レンタル判定部１２１において光ディスク２０がレンタルディスクでないと判定した場合には（ステップＳ３０２においてＮＯ）、光ディスクプレーヤ１０は、モニタ３０に広告を表示することなく、広告表示処理を終了する。
【０１２９】
なお、本実施形態では、光ディスクプレーヤ１０が光ディスク２０のディスクＩＤを送信することで、サーバ５０から光ディスクに関する広告を取得する構成を例に挙げて説明したが、これに限定されるものではない。例えば、光ディスクプレーヤ１０は、光ディスク２０によらず、サーバ５０から配信される広告を取得する構成を採用することもできる。
【０１３０】
ここで、光ディスク２０に関する広告をモニタ３０に出力するタイミングは、光ディスク２０が光ディスクプレーヤ１０に挿入されたときに限定されるものではない。例えば、表示制御部１１８は、光ディスク２０に関する広告を、光ディスク２０が光ディスクプレーヤ１０から取り出されたときに出力してもよいし、リモコン１９から所定の操作（例えば、再生中のコンテンツの停止操作など）を示すリモコン信号を受信したときに出力してもよい。また、表示制御部１１８は、光ディスク２０のコンテンツの再生が終了したときに、光ディスク２０に関する広告を出力してもよい。
【０１３１】
更に、光ディスク２０に関する広告は、当該広告の対象となるものを購入可能なサイトへのリンクやバナーなどであってもよい。これによれば、ユーザは、広告の対象となっているものを容易に取得することもできる。
【０１３２】
なお、上述の構成においては、光ディスクプレーヤ１０が、サーバ５０に直接アクセスして光ディスク２０に関する広告を取得する。この場合には、光ディスク２０に、当該光ディスク２０に関する広告が管理されているサーバ５０のＵＲＬが記録されていればよい。これによれば、光ディスクプレーヤ１０の広告表示管理部１２３は、光ディスク２０に記録されているＵＲＬを参照して適切なサーバ５０にアクセスすることができる。
【０１３３】
また、光ディスクプレーヤ１０は、例えばブリッジサーバ（不図示）などを介してサーバ５０に間接的にアクセスすることにより、光ディスク２０に関する広告を取得してもよい。この場合には、光ディスク２０にブリッジサーバのＵＲＬが記録されていればよく、光ディスクプレーヤ１０は、ブリッジサーバから、光ディスク２０に関する広告が管理されているサーバ５０のＵＲＬを取得する。これにより、光ディスクプレーヤ１０は、ブリッジサーバを介して、光ディスク２０から取得したディスクＩＤに応じて適切なサーバ５０に接続することができる。
【０１３４】
なお、光ディスクプレーヤ１０のＨＤＤ１３などに、予めブリッジサーバのＵＲＬが記録されていてもよい。これによれば、光ディスクプレーヤ１０は、光ディスク２０からＵＲＬを取得しなくともブリッジサーバ及びサーバ５０にアクセスすることができる。
【０１３５】
〔実施形態４〕
上述の実施形態では、再生装置がディスプレイ（モニタ）を備えない光ディスクプレーヤ１０により実現される構成を例に挙げて説明したが、本発明はこれに限定されるものではない。例えば、再生装置は、ディスプレイおよび上述の光ディスクプレーヤ１０の各構成を備えるテレビジョン受像機、又は、ＰＣなどにより実現される構成を採用することもできる。
【０１３６】
〔実施形態５〕
光ディスクプレーヤ１０及びサーバ５０の制御ブロック（特にＣＰＵ１１、１１ａ、１１ｂおよびＣＰＵ５１、５１ａ、５１ｂ）は、集積回路（ＩＣチップ）等に形成された論理回路（ハードウェア）によって実現してもよいし、ＣＰＵ（Central Processing Unit）を用いてソフトウェアによって実現してもよい。
【０１３７】
後者の場合、光ディスクプレーヤ１０及びサーバ５０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３８】
なお、以上では、再生装置が光ディスク２０に格納されているコンテンツを再生する光ディスクプレーヤ１０である場合を例に挙げて説明したが、本発明に係る再生装置は、リムーバブルメディアに格納されているコンテンツを再生可能な装置であれば、特に限定されない。リムーバブルメディアとしては、例えば、ＣＤ、ＤＶＤ、ＢＤ、メモリーカード、及び、ＵＳＢメモリなどを例に挙げることができる。
【０１３９】
〔まとめ〕
本発明の態様１に係る再生装置（光ディスクプレーヤ１０）は、対象の光ディスクから、当該対象の光ディスクを他の光ディスクから識別する情報である光ディスク識別情報（ディスクＩＤ）を取得する光ディスク識別情報取得部（ディスク情報取得部１１１）と、認証を条件とする条件付きサービスを提供するための認証用情報（リデンプションコード）を取得する認証用情報取得部（リデンプションコード管理部１１３）と、上記光ディスク識別情報および上記認証用情報の少なくとも何れかをサーバ（サーバ５０）に出力する情報出力部（認証リクエスト部１１４）と、上記サーバから認証結果を取得する認証結果取得部（１１５）と、上記対象の光ディスクに格納されているコンテンツのコピーを管理するコピー管理部（複製制御部１２０）と、上記コンテンツのコピーが禁止されているか否かを判定するコピー禁止判定部（複製禁止判定部１１９）と、を備え、上記コピー管理部は、上記コピー禁止判定部により上記コンテンツのコピーが禁止されていると判定された場合に、上記認証結果にかかわらず当該コンテンツのコピーを禁止する。
【０１４０】
上記の構成によれば、上記再生装置は、対象の光ディスクに格納されているコンテンツのコピーが禁止されている場合に、コンテンツのコピーの実行を制限する。これによれば、ユーザは、コンテンツのコピーが禁止されていない場合にはコンテンツのコピーを実行でき、コピーが禁止されている場合にはコンテンツのコピーが制限される。これによって、上記再生装置は、ユーザの利便性を向上させることができる。
【０１４１】
また、従来の技術では、コピーが違法に行われた記憶媒体でない限り、コンテンツの提供の実行を制限することができないという問題がある。これに対し、上記再生装置は、上記の構成により、コピーが違法に行われた記憶媒体であるか否かにかかわらず、コンテンツのコピーが禁止されている場合（例えば、対象の光ディスクがレンタルディスクである場合など）には、コンテンツのコピーの実行を制限することができる。これにより、上記再生装置は、対象の光ディスクに格納されているコンテンツをより適切に保護することができる。
【０１４２】
本発明の態様２に係る再生装置の上記コピー禁止判定部は、上記態様１において、上記対象の光ディスクに格納されているコピーの可否に関する情報（コピー禁止フラグ）を参照して、上記コンテンツのコピーが禁止されているか否かを判定してもよい。
【０１４３】
上記の構成によれば、上記再生装置は、対象の光ディスクに格納されているコピーの可否に関する情報を参照して、コンテンツのコピーが禁止されているか否かを判定する。これによって、上記再生装置は、対象の光ディスクに格納されているコピーの可否に関する情報を参照して、対象の光ディスクに格納されているコンテンツをより適切に保護することができる。
【０１４４】
本発明の態様３に係る再生装置の上記コピー禁止判定部は、上記態様１及び２において、上記対象の光ディスクの光ディスク識別情報と、光ディスクに格納されているコンテンツのコピーの可否を管理する管理サーバにおいて上記対象の光ディスクの光ディスク識別情報と関連付けて管理されている、上記対象の光ディスクに格納されているコンテンツのコピーの可否に関する情報（コピー禁止フラグ）とを参照して、上記対象の光ディスクのコンテンツのコピーが禁止されているか否かを判定してもよい。
【０１４５】
上記の構成によれば、上記再生装置は、サーバにおいて管理されているコピーの可否に関する情報を参照して、コンテンツのコピーが禁止されているか否かを判定する。これによれば、対象の光ディスクには、コピーの可否に関する情報が格納されている必要がない。したがって、上記再生装置は、対象の光ディスクにコピーの可否に関する情報が格納されていなくとも、サーバにおいて管理されているコピーの可否に関する情報を参照して、対象の光ディスクに格納されているコンテンツをより適切に保護することができる。
【０１４６】
本発明の態様４に係る再生装置は、上記態様１から３において、上記コピー禁止判定部により上記コンテンツのコピーが禁止されていると判定された場合に、当該コンテンツのコピーが禁止されている旨を通知するコピー禁止通知部（表示制御部１１８）を更に備えていてもよい。
【０１４７】
上記の構成によれば、上記再生装置は、コンテンツのコピーが禁止されている旨をユーザに通知することができるため、ユーザの利便性をより向上させることができる。
【０１４８】
本発明の態様５に係る再生装置は、上記態様１から４において、表示装置（モニタ３０）に通知を行う通知部（表示制御部１１８）を更に備え、上記通知部は、上記コピー禁止判定部により上記コンテンツのコピーが禁止されていると判定された場合に、当該コンテンツのコピー又は取得を可能にするための通知を表示装置に行ってもよい。
【０１４９】
上記の構成によれば、上記再生装置は、コンテンツのコピーが禁止されている場合に、当該コンテンツのコピー又は取得を可能にするための通知を表示装置に行うことができる。これによれば、ユーザは、コピーが禁止されているコンテンツについても、上記再生装置からの通知に従ってコピー又は取得することができる。したがって、上記再生装置は、ユーザの利便性をより向上させることができる。
【０１５０】
本発明の態様６に係るサーバは、対象の光ディスクを他の光ディスクから識別する情報である光ディスク識別情報と、認証を条件とする条件付きサービスを提供するための認証用情報との少なくとも何れかを取得する情報取得部（５１１）と、上記情報取得部が取得した光ディスク識別情報および認証用情報の少なくとも何れかが、予め関連付けられているか否かを認証する認証部（５１２）と、上記認証部が認証した結果を表す認証結果を出力する認証結果出力部（５１４）と、上記対象の光ディスクがレンタルされた光ディスクである場合に、上記光ディスク識別情報、上記対象の光ディスクのレンタル期間、及び、上記対象の光ディスクをレンタルしているユーザを示すユーザ識別情報（ユーザＩＤ）を関連付けて管理するレンタル管理部（５１５）と、を備えている。
【０１５１】
上記の構成によれば、上記サーバは、対象の光ディスクがレンタルされる光ディスクである場合に、対象の光ディスクの光ディスク識別情報、レンタル期間、及び、レンタルしているユーザを示すユーザ識別情報を関連付けて管理する。これによって、上記サーバは、ユーザがレンタルしている光ディスクのレンタル期間を容易に管理することができるため、ユーザの利便性を向上させることができる。
【０１５２】
本発明の態様７に係るサーバの上記レンタル管理部は、上記態様６において、上記対象の光ディスクに格納されているコンテンツを再生する再生装置から上記光ディスク識別情報を取得したとき、当該光ディスク識別情報と関連付けて管理されている上記対象の光ディスクのレンタル期間を、上記再生装置に送信してもよい。
【０１５３】
上記の構成によれば、上記サーバは、再生装置から取得した対象の光ディスクの光ディスク識別情報と関連付けて管理されているレンタル期間（すなわち、対象の光ディスクのレンタル期間）を再生装置に送信する。これにより、対象の光ディスクのレンタル期間を取得した再生装置は、対象の光ディスクのレンタル期間をユーザに提示することができるため、ユーザは対象の光ディスクのレンタル期間を容易に認識することができる。従って、上記サーバは、ユーザの利便性をより向上させることができる。
【０１５４】
本発明の態様８に係るサーバの上記レンタル管理部は、上記態様７において、上記対象の光ディスクのレンタル期間の期限が迫っている場合に、再生装置に対して、レンタル期間の期限が迫っている旨の通知を行うよう指示してもよい。
【０１５５】
上記の構成によれば、上記サーバは、再生装置に対して、対象の光ディスクのレンタル期間の期限が迫っている旨の通知を行う。これにより、レンタル期間の期限が迫っている旨の通知を取得した再生装置は、対象の光ディスクのレンタル期間の期限が迫っている旨をユーザに提示することができるため、ユーザは対象の光ディスクのレンタル期間の期限が迫っていることを容易に認識することができる。従って、上記サーバは、ユーザの利便性をより向上させることができる。
【０１５６】
本発明の態様９に係るサーバの上記レンタル管理部は、上記態様６から８において、再生装置を他の機器から識別する情報である機器識別情報（機器ＩＤ）を上記ユーザ識別情報と関連付けて管理し、上記ユーザ識別情報と関連付けられている機器識別情報であって上記再生装置の機器識別情報と異なる機器識別情報により特定される機器（携帯端末６０）に対して、上記対象の光ディスクに格納されているコンテンツと同一のコンテンツを配信可能にしてもよい。
【０１５７】
上記の構成によれば、上記サーバは、対象の光ディスクをレンタルしている対象の光ディスクをレンタルしているユーザのユーザ識別情報と関連付けられている機器識別情報であって再生装置の機器識別情報と異なる機器識別情報により特定される機器に対して、対象の光ディスクに格納されているコンテンツと同一のコンテンツを配信可能にする。換言すれば、対象の光ディスクをレンタルしているユーザが利用する再生装置と異なる機器（例えば、ユーザが利用する携帯端末など）に、対象の光ディスクに格納されているコンテンツと同一のコンテンツを配信することができる。
【０１５８】
これによれば、対象の光ディスクをレンタルしているユーザは、再生装置以外の機器でも、対象の光ディスクに格納されているコンテンツと同一のコンテンツを楽しむことができる。従って、上記サーバは、ユーザの利便性を更に向上させることができる。
【０１５９】
本発明の態様１０に係るサーバの上記レンタル管理部は、上記態様９において、上記ユーザ識別情報と関連付けられている機器識別情報が複数存在する場合に、上記コンテンツを配信可能にする機器の台数を制限してもよい。
【０１６０】
上記の構成によれば、上記サーバは、対象の光ディスクに格納されているコンテンツと同一のコンテンツの配信を取得できる再生装置以外の機器の台数を制限する。これによって、対象の光ディスクに格納されているコンテンツと同一のコンテンツが無制限に配信されることを防ぐことができる。従って、上記サーバは、ユーザの利便性を向上させつつ、コンテンツをより適切に保護することができる。
【０１６１】
本発明の態様１１に係る再生装置は、対象の光ディスクから、当該対象の光ディスクを他の光ディスクから識別する情報である光ディスク識別情報を取得する光ディスク識別情報取得部と、認証を条件とする条件付きサービスを提供するための認証用情報を取得する認証用情報取得部と、上記光ディスク識別情報および上記認証用情報の少なくとも何れかをサーバに出力する情報出力部と、上記サーバから認証結果を取得する認証結果取得部と、上記対象の光ディスクがレンタルされた光ディスクであるか否かを判定するレンタル判定部（レンタル判定部１２１）と、上記対象の光ディスクが上記レンタル判定部によりレンタルされた光ディスクであると判定された場合に、当該対象の光ディスクのレンタル期間を通知するレンタル期間通知部（表示制御部１１８）と、を備えている。
【０１６２】
上記の構成によれば、上記再生装置は、対象の光ディスクがレンタルされた光ディスクである場合に、当該対象の光ディスクのレンタル期間を通知する。これにより、ユーザは、対象の光ディスクのレンタル期間を容易に認識することができる。従って、上記再生装置は、ユーザの利便性を向上させることができる。
【０１６３】
また、光ディスクのレンタル期間のユーザへの通知を、例えば、ユーザの利用する携帯端末に対してメールで通知するなどする従来の技術では、ユーザは携帯端末に通知されたメールを確認しなければならず、ユーザに煩雑な処理を強いてしまうという問題がある。しかし、上記の構成によれば、上記再生装置は、対象の光ディスクがレンタルされた光ディスクである場合に、そのレンタル期間をユーザに容易に提示することができる。したがって、上記再生装置は、ユーザの利便性を向上させることができる。
【０１６４】
本発明の態様１２に係る再生装置は、上記態様１１において、上記対象の光ディスクのレンタル期間を徒過している場合に、当該対象の光ディスクに格納されているコンテンツの再生を禁止する再生管理部（レンタル期間管理部１２２）を更に備えていてもよい。
【０１６５】
上記の構成によれば、上記再生装置は、対象の光ディスクのレンタル期間を徒過している（つまり、レンタルされている対象の光ディスクの返却日を過ぎてしまっている）場合に、コンテンツの再生を禁止する。これにより、上記再生装置は、レンタル期間が経過しているにもかかわらず対象の光ディスクに格納されているコンテンツが再生されてしまうことを防ぐことができる。したがって、上記再生装置は、対象の光ディスクに格納されているコンテンツをより適切に保護することができる。
【０１６６】
本発明の態様１３に係る再生装置は、上記態様１２において、表示装置に通知を行う通知部を更に備え、上記通知部は、上記レンタル期間を徒過している場合に、当該レンタル期間を延長するための通知を表示装置に行ってもよい。
【０１６７】
上記の構成によれば、上記再生装置は、対象の光ディスクの返却日を過ぎてしまっている場合に、当該レンタル期間を延長するための通知を表示装置に行う。これにより、ユーザは、対象の光ディスクの返却日が過ぎたことにより、コンテンツを再生できなくなってしまった場合であっても、レンタル期間を延長することによって、コンテンツを再生することができる。したがって、上記再生装置は、対象の光ディスクに格納されているコンテンツを保護しつつ、ユーザの利便性を向上させることができる。
【０１６８】
本発明の態様１４に係る再生装置は、対象の光ディスクから、当該対象の光ディスクを他の光ディスクから識別する情報である光ディスク識別情報を取得する光ディスク識別情報取得部と、認証を条件とする条件付きサービスを提供するための認証用情報を取得する認証用情報取得部と、上記光ディスク識別情報および上記認証用情報の少なくとも何れかをサーバに出力する情報出力部と、上記サーバから認証結果を取得する認証結果取得部と、上記対象の光ディスクがレンタルされた光ディスクであるか否かを判定するレンタル判定部（レンタル判定部１２１）と、上記対象の光ディスクが上記レンタル判定部によりレンタルされた光ディスクであると判定された場合に、当該対象の光ディスクに関する広告を表示装置に出力する広告出力部（表示制御部１１８）と、を備えている。
【０１６９】
上記の構成によれば、上記再生装置は、対象の光ディスクがレンタルされた光ディスクである場合に、当該対象の光ディスクに関する広告を表示装置に出力する。これにより、上記再生装置は、対象の光ディスクをレンタルしたユーザに対して、当該対象の光ディスクに関する広告を容易に提示することができる。したがって、上記再生装置は、ユーザの利便性を向上させることができる。
【０１７０】
また、従来の技術では、再生装置は、対象の光ディスクがレンタルされたものであるか否かにかかわらず、単に対象の光ディスクに格納されている広告を表示するため、ユーザの利便性が低いという問題がある。これに対し、上記の構成によれば、上記再生装置は、対象の光ディスクがレンタルされた光ディスクであるかを判定し、レンタルされた光ディスクである場合に当該対象の光ディスクに関する広告を出力するため、ユーザの利便性を向上させることができる。
【０１７１】
本発明の態様１５に係る再生装置は、上記態様１４において、上記対象の光ディスクに関する広告を、上記光ディスク識別情報と当該光ディスク識別情報の示す対象の光ディスクに関する広告とを関連づけて管理するサーバから取得する広告取得部（広告表示管理部１２３）を更に備えていてもよい。
【０１７２】
上記の構成によれば、上記再生装置は、対象の光ディスクに関する広告を、サーバから取得する。これによれば、上記再生装置は、対象の光ディスクに広告が格納されていない場合であっても、当該対象の光ディスクに関する広告を出力することができる。つまり、対象の光ディスクには、当該対象の光ディスクに関する広告が格納されている必要がない。したがって、ユーザの利便性をより向上させることができる。
【０１７３】
また、上記再生装置は、サーバ上の広告が更新された場合には、更新された新しい広告を出力することもできるため、ユーザの利便性をさらに向上させることができる。
【０１７４】
本発明の態様１６に係る制御方法は、再生装置の制御方法であって、対象の光ディスクから、当該対象の光ディスクを他の光ディスクから識別する情報である光ディスク識別情報を取得する光ディスク識別情報取得ステップと、認証を条件とする条件付きサービスを提供するための認証用情報を取得する認証用情報取得ステップと、上記光ディスク識別情報および上記認証用情報の少なくとも何れかをサーバに出力する情報出力ステップと、上記サーバから認証結果を取得する認証結果取得ステップと、上記対象の光ディスクに格納されているコンテンツのコピーを管理するコピー管理ステップと、上記コンテンツのコピーが禁止されているか否かを判定するコピー禁止判定ステップと、を含み、上記コピー管理ステップにおいて、上記コピー禁止判定ステップにおいて上記コンテンツのコピーが禁止されていると判定された場合に、上記認証結果にかかわらず当該コンテンツのコピーを禁止する。
【０１７５】
上記の構成によれば、上記制御方法は、上述の再生装置と同様の効果を奏することができる。
【０１７６】
本発明の態様１７に係るレンタル管理方法は、レンタルを管理するサーバのレンタル管理方法であって、対象の光ディスクを他の光ディスクから識別する情報である光ディスク識別情報と、認証を条件とする条件付きサービスを提供するための認証用情報との少なくとも何れかを取得する情報取得ステップと、上記情報取得ステップにおいて取得した光ディスク識別情報および認証用情報の少なくとも何れかが、予め関連付けられているか否かを認証する認証ステップと、上記認証ステップにおいて認証した結果を表す認証結果を出力する認証結果出力ステップと、上記対象の光ディスクがレンタルされた光ディスクである場合に、上記光ディスク識別情報、上記対象の光ディスクのレンタル期間、及び、上記対象の光ディスクをレンタルしているユーザを示すユーザ識別情報を関連付けて管理するレンタル管理ステップと、を含んでいる。
【０１７７】
上記の構成によれば、上記レンタル管理方法は、上述のサーバと同様の効果を奏することができる。
【０１７８】
本発明の態様１８に係る制御方法は、再生装置の制御方法であって、対象の光ディスクから、当該対象の光ディスクを他の光ディスクから識別する情報である光ディスク識別情報を取得する光ディスク識別情報取得ステップと、認証を条件とする条件付きサービスを提供するための認証用情報を取得する認証用情報取得ステップと、上記光ディスク識別情報および上記認証用情報の少なくとも何れかをサーバに出力する情報出力ステップと、上記サーバから認証結果を取得する認証結果取得ステップと、上記対象の光ディスクがレンタルされた光ディスクであるか否かを判定するレンタル判定ステップと、上記対象の光ディスクが上記レンタル判定ステップにおいてレンタルされた光ディスクであると判定された場合に、当該対象の光ディスクのレンタル期間を通知するレンタル期間通知ステップと、を含んでいる。
【０１７９】
上記の構成によれば、上記制御方法は、上述の再生装置と同様の効果を奏することができる。
【０１８０】
本発明の態様１９に係る制御方法は、再生装置の制御方法であって、対象の光ディスクから、当該対象の光ディスクを他の光ディスクから識別する情報である光ディスク識別情報を取得する光ディスク識別情報取得ステップと、認証を条件とする条件付きサービスを提供するための認証用情報を取得する認証用情報取得ステップと、上記光ディスク識別情報および上記認証用情報の少なくとも何れかをサーバに出力する情報出力ステップと、上記サーバから認証結果を取得する認証結果取得ステップと、上記対象の光ディスクがレンタルされた光ディスクであるか否かを判定するレンタル判定ステップと、上記対象の光ディスクが上記レンタル判定ステップにおいてレンタルされた光ディスクであると判定された場合に、当該対象の光ディスクに関する広告を表示装置に出力する広告出力ステップと、を含んでいる。
【０１８１】
上記の構成によれば、上記制御方法は、上述の再生装置と同様の効果を奏することができる。
【０１８２】
本発明の各態様に係る再生装置及びサーバは、コンピュータによって実現してもよく、この場合には、コンピュータを上記再生装置又はサーバが備える各部として動作させることにより上記再生装置又はサーバをコンピュータにて実現させるプログラム、およびそれを記録したコンピュータ読み取り可能な記録媒体も、本発明の範疇に入る。
【０１８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１８４】
本発明は、光ディスク（ＢＤ、ＤＶＤなど）プレーヤ／レコーダ、光ディスクプレーヤを内蔵するテレビジョン受像機、光ディスクプレーヤを再生可能なパーソナルコンピュータなどに好適に利用することができる。
【符号の説明】
【０１８５】
１    サービス提供システム
１０    光ディスクプレーヤ（再生装置）
１１、１１ａ、１１ｂ  ＣＰＵ
２０    光ディスク
３０    モニタ（表示装置）
４０    ルータ
５０    サーバ
５１、５１ａ、５１ｂ  ＣＰＵ
６０    携帯端末
１１１  ディスク情報取得部（光ディスク識別情報取得部）
１１２  ディスクＩＤ管理部
１１３  リデンプションコード管理部（認証用情報取得部）
１１４  認証リクエスト部（情報出力部）
１１５  認証結果取得部
１１６  操作信号取得部
１１７  サービス提供部
１１８  表示制御部（コピー禁止通知部、通知部、広告出力部）
１１９  複製禁止判定部（コピー禁止判定部）
１２０  複製制御部（コピー管理部）
１２１  レンタル判定部
１２２  レンタル期間管理部（レンタル期間通知部、再生管理部）
１２３  広告表示管理部（広告取得部）
５１１  情報取得部
５１２  認証部
５１３  サービス管理部
５１４  認証結果出力部
５１５  レンタル管理部
５１６  広告情報管理部
【図１】
2016105342.tif 000003
【図２】
2016105342.tif 000004
【図３】
2016105342.tif 000005
【図４】
2016105342.tif 000006
【図５】
2016105342.tif 000007
【図６】
2016105342.tif 000008
【図７】
2016105342.tif 000009
【図８】
2016105342.tif 000010
【図９】
2016105342.tif 000011
【図１０】
2016105342.tif 000012
【図１１】
2016105342.tif 000013
【図１２】
2016105342.tif 000014
【図１３】
2016105342.tif 000015
【図１４】
2016105342.tif 000016
【図１５】
2016105342.tif 000017
【図１６】
2016105342.tif 000018
【図１７】
2016105342.tif 000019
【図１８】
2016105342.tif 000020